(57)【特許請求の範囲】
【請求項１】
地震が発生すると、地震感知器が動作して複数台のかごを最寄階に停止する地震時管制運転が行われ、地震管制運転完了後に複数台のエレベ−タを各台のエレベータ制御盤により診断運転するエレベータの地震復旧運転装置において、
各台のエレベータ制御盤にそれぞれ設けられ、地震管制運転完了後に時限カウントを開始するタイマー回路と、各台のエレベータ制御盤にそれぞれ設けられ、地震復旧運転を開始するタイマー設定値が記録されたタイマー設定値記録手段と、地震復旧運転の開始が可能かを判定する地震復旧運転可否判定回路とを備え、
前記地震復旧運転可否判定回路は、地震管制運転完了後にタイマーの設定時限が満了しかつ地震復旧運転を開始する条件が満足されると、各台のエレベータ制御盤により複数台のエレベータの地震復旧運転を１台づつ時間をずらせて順次開始させることを特徴とするエレベータの地震復旧運転装置。
【請求項２】
地震復旧運転は、エレベ−タのかご上に設置されたマイクを使用し、走行中の騒音値レベルにより異常の有無を診断することを特徴とする請求項１記載のエレベータの地震復旧運転装置。
【請求項３】
タイマー設定値は、外部入力装置により各台毎に任意に設定可能であることを特徴とする請求項１又は請求項２記載のエレベータの地震復旧運転装置。
【請求項４】
タイマー設定値は、保守会社から通信回線を利用して遠隔で各台毎に任意に設定可能であることを特徴とする請求項１又は請求項２記載のエレベータの地震復旧運転装置。
【請求項５】
利用者がかご内に居ないこと、乗場の戸が全閉であること、高感知器地震計が動作していないこと、エレベータの安全回路が動作していないことなどを条件とする診断運転開始条件を併用することを特徴とする請求項１〜請求項４のいずれかに記載のエレベータの地震復旧運転装置。
【発明の詳細な説明】
【技術分野】
【０００１】
この発明は、地震発生時に複数台のエレベータを診断運転させるためのエレベータの地震復旧運転装置に関するものである。
【背景技術】
【０００２】
従来、エレベータの地震復旧運転装置においては、中規模の地震の復旧運転に際して、復旧手動運転を実施し手動運転に要した時間により正常か否かの判断を行い復旧させ、通常運転させるものが知られている（例えば、特許文献１参照）。
また、他の従来技術として、地震感知器動作時に微速走行の異常検知運転を行い、かご上部、下部に取り付けた衝突検知により異常の有無を判断するものが知られている（例えば、特許文献２参照）。
また、かご上に設置されたマイクを使用し、走行中の騒音値のレベルにより、異常の有無を診断する地震復旧運転（診断運転）が考えられている。
【０００３】
【特許文献１】特開２００３−１４６５５２号公報
【特許文献２】特開２００２−１２８４０８号公報
【発明の開示】
【発明が解決しようとする課題】
【０００４】
かご上に設置されたマイクを使用し、走行中の騒音値のレベルにより、異常の有無を診断する地震復旧運転（診断運転）において、２台以上の群管理の場合では、複数台のエレベータが同時に地震復旧運転（診断運転）を開始することが考えられる。このような場合には、互いに隣接するエレベータの異常を誤検出する恐れがある。そのため、２台以上の群管理の場合では、地震復旧運転（診断運転）を開始するには、１台づつ開始することが必要である。これを実現するためには、各台を制御する群管理装置のＣＰＵのコントロールが必要である。これを既設エレベータに適用する場合は、各台側のプログラムの変更（書き換え）と群管理装置側プログラムの変更（書き換え）が必要である。そして、既設エレベータの群管理装置側プログラムの開発も必要である。
【０００５】
この発明は、上述のような課題を解決するためになされたもので、例えばかご上に設置されたマイクを使用し、走行中の騒音値のレベルにより、異常の有無を診断する地震復旧運転（診断運転）を複数台設置のエレベータに対して行う場合、各台側に地震復旧運転（診断運転）を開始するタイマー手段を設け、タイマーの設定時限が満了すると地震復旧運転（診断運転）を１台づつ時間をずらせて順次開始するようにしたエレベータの地震復旧運転装置を提供するものである。
【課題を解決するための手段】
【０００６】
この発明に係るエレベータの地震復旧運転装置においては、地震が発生すると、地震感知器が動作して複数台のかごを最寄階に停止する地震時管制運転が行われ、地震管制運転完了後に複数台のエレベ−タを各台のエレベータ制御盤により診断運転するものにおいて、各台のエレベータ制御盤にそれぞれ設けられ、地震管制運転完了後に時限カウントを開始するタイマー回路と、各台のエレベータ制御盤にそれぞれ設けられ、地震復旧運転を開始するタイマー設定値が記録されたタイマー設定値記録手段と、地震復旧運転の開始が可能かを判定する地震復旧運転可否判定回路とを備え、地震復旧運転可否判定回路は、地震管制運転完了後にタイマーの設定時限が満了しかつ地震復旧運転を開始する条件が満足されると、各台のエレベータ制御盤により複数台のエレベータの地震復旧運転を１台づつ時間をずらせて順次開始させるものである。
【０００７】
また、地震復旧運転は、エレベ−タのかご上に設置されたマイクを使用し、走行中の騒音値レベルにより異常の有無を診断するものである。
【発明の効果】
【０００８】
この発明によれば、地震感知器の動作後、地震復旧運転（診断運転）を開始する号機のコントロールが可能である。また、群管理装置側からの制御が不要なため、複数台設置の既設エレベータに地震復旧運転（診断運転）を展開する場合、群管理装置側プログラムの開発や現地書き換えが不要となるという効果がある。
【発明を実施するための最良の形態】
【０００９】
実施の形態１．
図１はこの発明の実施の形態１におけるエレベータの地震復旧運転装置を示すシステム構成図、図２はこの発明の実施の形態１におけるエレベータの地震復旧運転装置の動作を説明するためのフローチャートである。
【００１０】
図１において、１はエレベータの巻上機モータ、２は巻上機の綱車、３はエレベータのかご、４は保守技術者が携帯可能な携帯型情報端末からなる外部入力装置、５はエレベータの号機毎に設けられた各台のエレベータ制御盤、１７は通信制御装置、１８は電話回線、１９は保守会社である。上記各台の制御盤５は、地震管制運転完了後に時限をカウント開始するタイマー回路１１と、地震復旧運転（診断運転）を開始する時間が記憶されたタイマー設定値記録部１２と、外部入力装置４からタイマー設定値記録部１２の値を設定するインターフェース回路１６と、判定回路１３と、検出回路１４と、制御回路１５とを備えている。判定回路１３は、検出回路１４からの信号とタイマー回路１１からのタイマー値及びタイマー設定値記録部１２からの記録値により、地震復旧運転（診断運転）の開始が可能かを判定する回路であり、判定回路１３により判定された結果により、制御回路１５によりエレベータを制御し、地震復旧運転（診断運転）を実行する。また、タイマー設定記録部１２への設定は、外部入力装置４によりインターフェース回路１６を経由して設定を行うが、保守会社１９から電話回線１８などを利用し、通信制御装置１７からインターフェース回路１６を経由して設定することにより、保守会社１９から遠隔でタイマー値を設定することも可能である。    
【００１１】
次に、各台のエレベータ制御盤５により地震復旧運転（診断運転）を開始する場合の動作フローについて、図２により説明する。
地震が発生すると、地震感知器が動作してかごを最寄階に停止する地震時管制運転が行われる。地震時管制運転が完了すると、ステップＳ１で各台のエレベータ制御盤５のタイマー回路１１の時限カウントを開始する。先ず、ステップＳ２の診断運転開始条件１判定では、タイマーのカウント値が予め設定した診断運転開始タイマー設定値になったか否かの判定を行う。タイマーカウント値が開始タイマー設定値になったか判定を行い、タイマー設定値になった場合（診断運転開始条件１成立）は（ステップＳ３）、次の診断運転開始条件２判定に進む（ステップＳ４）。ステップＳ４の診断運転開始条件２判定では、診断運転を実施するためにエレベータを走行可能であるか否かの判定を行う。その例として、利用者がかご内に居ないこと、乗場の戸が全閉であること、高感知器地震計が動作していないこと、エレベータの安全回路が動作していないことなどの条件とする。診断運転を実施するためにエレベータを走行可能であるか否かの判定を行い、上記各条件が満足され、診断運転を実施するためにエレベータを走行可能である場合（診断運転開始条件２成立）は（ステップＳ５）、次の診断運転指令出力に進む（ステップＳ６）。ステップＳ６の診断運転指令出力では、各台のエレベータの制御回路１５へ指令を出力し、診断運転を実行する。
【００１２】
ここで、今、エレベータが３台設置されている現場において、１号機から３号機の順で１台づつ時間をずらせて地震復旧運転（診断運転）を実施するものとした場合のタイマー記録の設定例について説明する。なお、１台当たりの地震復旧運転（診断運転）の完了には、２０分を要するものと仮定する。
先ず、１号機のタイマー設定値を地震管制運転が完了してから５分後に設定する。これにより、１号機は地震管制運転が完了してから５分後に地震復旧運転（診断運転）を許可され、２５分後に地震復旧運転（診断運転）を完了する。次に、２号機のタイマー設定値を地震管制運転が完了してから３０分後に設定する。これにより、２号機は地震管制運転が完了してから３０分後に地震復旧運転（診断運転）を許可され、５０分後に地震復旧運転（診断運転）を完了する。そして、３号機のタイマー設定値を地震管制運転が完了してから５５分後に設定する。これにより、３号機は地震管制運転が完了してから５５分後に地震復旧運転（診断運転）を許可され、７５分後に地震復旧運転（診断運転）を完了する。
【００１３】
以上のように、群管理装置側からのコントロールを必要とせず、複数台のエレベータの地震復旧運転（診断運転）を制御できるため、群管理装置側プログラムの開発が不要であり、既設エレベータへの展開が容易となる効果がある。
【図面の簡単な説明】
【００１４】
【図１】この発明の実施の形態１におけるエレベータの地震復旧運転装置を示すシステム構成図である。
【図２】この発明の実施の形態１におけるエレベータの地震復旧運転装置の動作を説明するためのフローチャートである。
【符号の説明】
【００１５】
１  巻上機モータ
２  綱車
３  エレベータのかご
４  外部入力装置
５  各台のエレベータ制御盤
１１  タイマー回路
１２  タイマー設定値記録部
１３  判定回路
１４  検出回路
１５  制御回路
１６  インターフェース回路
１７  通信制御回路
１８  電話回線
１９  保守会社
【図１】
0004835174.tif 000002
【図２】
0004835174.tif 000003